(57)【要約】【課題】  コスト，実装面積を増やす事無く、多段階に（その極限として、連続的に）電圧制御が可能で、汎用品の電源ＩＣにおいても容易に電圧制御を可能にする。【解決手段】  基準電圧を出力する基準電圧部１と、所定の負荷２に対する電圧を検出し、検出電圧として出力する検出部３と、検出電圧を可変にし、可変検出電圧を出力する可変部４と、基準電圧と可変検出電圧とを比較し、定電圧制御を行う制御部５とを備え、前記可変部４において可変検出電圧を多段階に可変にする事で、電圧可変制御を行なう。【選択図】      図１
2007228784.tif 000002
【特許請求の範囲】
【請求項１】
基準電圧を出力する基準電圧部と、所定の負荷に対する電圧を検出し、検出電圧として出力する検出部と、検出電圧を可変にし、可変検出電圧を出力する可変部と、基準電圧と可変検出電圧とを比較し、定電圧制御を行う制御部とを備え、前記可変部において可変検出電圧を多段階に可変にする事で、電圧可変制御を行なう事を特徴とする定電圧制御装置。
【請求項２】
請求項１記載の定電圧制御装置が用いられている事を特徴とする画像記録装置。
【請求項３】
請求項２記載の画像記録装置において、前記画像記録装置は、画像を撮像する撮像手段と、モーターと、入力手段とを有し、前記定電圧制御装置は、モーターの駆動制御を行うようになっている事を特徴とする画像記録装置。
【請求項４】
請求項３記載の画像記録装置において、前記定電圧制御装置は、画像記録装置の動作情報に応じて、モーターの駆動制御を行うようになっている事を特徴とする画像記録装置。
【請求項５】
請求項３記載の画像記録装置において、前記定電圧制御装置は、電源情報に応じて、モーターの駆動制御を行うようになっている事を特徴とする画像記録装置。
【請求項６】
請求項３記載の画像記録装置において、前記定電圧制御装置は、温度情報に応じて、モーターの駆動制御を行うようになっている事を特徴とする画像記録装置。
【請求項７】
請求項３記載の画像記録装置において、前記定電圧制御装置は、ユーザー設定情報に応じて、モーターの駆動制御を行うようになっている事を特徴とする画像記録装置。
【請求項８】
請求項３記載の画像記録装置において、前記定電圧制御装置は、前記撮像手段による画像の撮像時に、モーターの駆動制御を行うようになっている事を特徴とする画像記録装置。
【請求項９】
請求項３記載の画像記録装置において、前記定電圧制御装置は、前記撮像手段から連続して取得される画像情報に所定の時間変化の無い時は、モーターの駆動制御を行うようになっている事を特徴とする画像記録装置。
【請求項１０】
請求項３記載の画像記録装置において、前記定電圧制御装置は、前記入力手段の操作が所定の時間無い時に、モーターの駆動制御を行うようになっている事を特徴とする画像記録装置。
【請求項１１】
請求項３記載の画像記録装置において、前記定電圧制御装置は、モーターの駆動開始時にモーターの駆動制御を行うようになっている事を特徴とする画像記録装置。
【請求項１２】
請求項３記載の画像記録装置において、前記定電圧制御装置は、モーターの駆動停止時にモーターの駆動制御を行うようになっている事を特徴とする画像記録装置。
【発明の詳細な説明】
【技術分野】
【０００１】
本発明は、定電圧制御装置および画像記録装置に関する。
【背景技術】
【０００２】
従来の電圧可変定電圧制御装置は、電圧検出部の抵抗を、切替えたい電圧値の数だけ、並列，直列に接続し、スイッチ（トランジスタのＯＮ、ＯＦＦなど）で切替えて制御していた。
【０００３】
この方法では、電圧の切替える数に限度が有り、電圧を多段階に可変制御することが出来なかった。また、切替えたい電圧値が多くなればなるほど、抵抗とスイッチと制御するポートが増えて、コスト、実装面積などが増加してしまっていた。
【０００４】
その他、基準電圧を変化させる電圧可変定電圧制御装置などは、精度の必要な基準電圧を変化させる事で、精度が劣化して、出力電圧の誤差が大きくなってしまうという問題があった。逆に精度を確保しようとすると、装置の規模が大きくなり、コストや実装面積などが増加してしまっていた。
【０００５】
また、汎用品の電源ＩＣ（スイッチングレギュレータやシリーズレギュレータなど）は、多くの場合、基準電圧は固定されていて、ユーザーが変化させる事は出来なかった。
【発明の開示】
【発明が解決しようとする課題】
【０００６】
本発明は、コスト，実装面積を増やす事無く、多段階に（その極限として、連続的に）電圧制御が可能で、汎用品の電源ＩＣにおいても容易に電圧制御を可能にする定電圧制御装置および画像記録装置を提供することを目的としている。
【課題を解決するための手段】
【０００７】
上記目的を達成するために、請求項１記載の発明は、基準電圧を出力する基準電圧部と、所定の負荷に対する電圧を検出し、検出電圧として出力する検出部と、検出電圧を可変にし、可変検出電圧を出力する可変部と、基準電圧と可変検出電圧とを比較し、定電圧制御を行う制御部とを備え、前記可変部において可変検出電圧を多段階に可変にする事で、電圧可変制御を行なう事を特徴としている。
【０００８】
また、請求項２記載の発明は、請求項１記載の定電圧制御装置が用いられている事を特徴とする画像記録装置である。
【０００９】
また、請求項３記載の発明は、請求項２記載の画像記録装置において、前記画像記録装置は、画像を撮像する撮像手段と、モーターと、入力手段とを有し、前記定電圧制御装置は、モーターの駆動制御を行うようになっている事を特徴としている。
【００１０】
また、請求項４記載の発明は、請求項３記載の画像記録装置において、前記定電圧制御装置は、画像記録装置の動作情報に応じて、モーターの駆動制御を行うようになっている事を特徴としている。
【００１１】
また、請求項５記載の発明は、請求項３記載の画像記録装置において、前記定電圧制御装置は、電源情報に応じて、モーターの駆動制御を行うようになっている事を特徴としている。
【００１２】
また、請求項６記載の発明は、請求項３記載の画像記録装置において、前記定電圧制御装置は、温度情報に応じて、モーターの駆動制御を行うようになっている事を特徴としている。
【００１３】
また、請求項７記載の発明は、請求項３記載の画像記録装置において、前記定電圧制御装置は、ユーザー設定情報に応じて、モーターの駆動制御を行うようになっている事を特徴としている。
【００１４】
また、請求項８記載の発明は、請求項３記載の画像記録装置において、前記定電圧制御装置は、前記撮像手段による画像の撮像時に、モーターの駆動制御を行うようになっている事を特徴としている。
【００１５】
また、請求項９記載の発明は、請求項３記載の画像記録装置において、前記定電圧制御装置は、前記撮像手段から連続して取得される画像情報に所定の時間変化の無い時は、モーターの駆動制御を行うようになっている事を特徴としている。
【００１６】
また、請求項１０記載の発明は、請求項３記載の画像記録装置において、前記定電圧制御装置は、前記入力手段の操作が所定の時間無い時に、モーターの駆動制御を行うようになっている事を特徴としている。
【００１７】
また、請求項１１記載の発明は、請求項３記載の画像記録装置において、前記定電圧制御装置は、モーターの駆動開始時にモーターの駆動制御を行うようになっている事を特徴としている。
【００１８】
また、請求項１２記載の発明は、請求項３記載の画像記録装置において、前記定電圧制御装置は、モーターの駆動停止時にモーターの駆動制御を行うようになっている事を特徴としている。
【発明の効果】
【００１９】
請求項１記載の発明によれば、基準電圧を出力する基準電圧部と、所定の負荷に対する電圧を検出し、検出電圧として出力する検出部と、検出電圧を可変にし、可変検出電圧を出力する可変部と、基準電圧と可変検出電圧とを比較し、定電圧制御を行う制御部とを備え、前記可変部において可変検出電圧を多段階に可変にする事で、電圧可変制御を行なうので、定電圧制御装置の電圧値を多段階に（その極限として、連続的に）変化させる事が可能となり、さらに、コストや実装面積の増加を最小限に抑える事が可能になる。
【００２０】
また、請求項２乃至請求項１２記載の発明によれば、請求項１記載の定電圧制御装置が用いられている事を特徴とする画像記録装置であるので、例えば、モーターの駆動制御を多段階に（その極限として、連続的に）変化させる事が可能であり、さらに、コストや実装面積の増加を最小限に抑える事が可能になる。
【００２１】
特に、請求項３記載の発明によれば、請求項２記載の画像記録装置において、前記画像記録装置は、画像を撮像する撮像手段と、モーターと、入力手段とを有し、前記定電圧制御装置は、モーターの駆動制御を行うようになっているので、モーターの駆動制御を多段階に（その極限として、連続的に）変化させる事が可能であり、さらに、コストや実装面積の増加を最小限に抑える事が可能になる。
【００２２】
また、請求項４記載の発明によれば、請求項３記載の画像記録装置において、前記定電圧制御装置は、画像記録装置の動作情報に応じて、モーターの駆動制御を行うようになっているので、画像記録装置が例えばカメラである場合、カメラの性能を向上させることができる。すなわち、起動動作時に動作を速くする事で、起動時のタイムラグを減少させ、シャッターチャンスを逃さない。また、ズーム動作時は精度良く、ゆっくりとズーム倍率を変更する事で、ユーザーがフレーミングし易いようにする。また、シャッター動作時は動作を速くする事で高速秒時に対応でき、被写体の輝度が高い時や、動いている被写体に対して撮影が可能になる。
【００２３】
また、請求項５記載の発明によれば、請求項３記載の画像記録装置において、前記定電圧制御装置は、電源情報に応じて、モーターの駆動制御を行うようになっているので、タイムラグを無くし、かつ、省電力化を図る事が可能になる。
【００２４】
また、請求項６記載の発明によれば、請求項３記載の画像記録装置において、前記定電圧制御装置は、温度情報に応じて、モーターの駆動制御を行うようになっているので、タイムラグを無くし、かつ、いかなる環境下でもモーター駆動を可能にし、かつ、省電力化を図る事が可能になる。
【００２５】
また、請求項７記載の発明によれば、請求項３記載の画像記録装置において、前記定電圧制御装置は、ユーザー設定情報に応じて、モーターの駆動制御を行うようになっており、ユーザーが自由に設定を選択できる事で、ユーザーインターフェイスの向上が可能になる。
【００２６】
また、請求項８記載の発明によれば、請求項３記載の画像記録装置において、前記定電圧制御装置は、前記撮像手段による画像の撮像時に、モーターの駆動制御を行うようになっているので、タイムラグを無くし、かつ、省電力化を図る事が可能になる。
【００２７】
また、請求項９記載の発明によれば、請求項３記載の画像記録装置において、前記定電圧制御装置は、前記撮像手段から連続して取得される画像情報に所定の時間変化の無い時は、モーターの駆動制御を行うようになっており、画像記録装置が使用されてない、または、待機状態にあると判断する事は、自発的にユーザーの使用状況を判断するという事につながり、ユーザーインターフェイスの向上、さらに、判断後に電力セーブを行う事で、省電力化が可能になる。
【００２８】
また、請求項１０記載の発明によれば、請求項３記載の画像記録装置において、前記定電圧制御装置は、前記入力手段の操作が所定の時間無い時に、モーターの駆動制御を行うようになっており、画像記録装置が使用されてない、または、待機状態にあると判断する事は、自発的にユーザーの使用状況を判断するという事につながり、ユーザーインターフェイスの向上、さらに、判断後に電力セーブを行う事で、省電力化が可能になる。
【００２９】
また、請求項１１記載の発明によれば、請求項３記載の画像記録装置において、前記定電圧制御装置は、モーターの駆動開始時にモーターの駆動制御を行うようになっており、モーター駆動開始時は多段階に駆動電圧を高くする事でソフトスタートとして動作し、突入電流を防止する事で電源の電圧降下を防止し、画像記録装置の動作を止める事無く、電池寿命を延ばす事が可能になる。
【００３０】
また、請求項１２記載の発明によれば、請求項３記載の画像記録装置において、前記定電圧制御装置は、モーターの駆動停止時にモーターの駆動制御を行うようになっており、モーター駆動停止時は多段階に駆動電圧を低くする事で、動作停止精度を向上させることができる。例えば、画像記録装置がカメラなどの場合、フォーカスの動作停止精度を向上させれば、合焦精度を向上させる事が可能になる。
【発明を実施するための最良の形態】
【００３１】
以下、本発明の実施形態を図面に基づいて説明する。図１は本発明に係る定電圧制御装置の構成例を示す図である。図１を参照すると、本発明の定電圧制御装置は、基準電圧を出力する基準電圧部１と、所定の負荷２に対する電圧を検出し、検出電圧として出力する検出部３と、検出電圧を可変にし、可変検出電圧を出力する可変部４と、基準電圧と可変検出電圧とを比較し、定電圧制御を行う制御部５とを備え、前記可変部４において可変検出電圧を多段階に可変にする事で、電圧可変制御が行なわれるようになっている。
【００３２】
図２乃至図４には、定電圧制御装置の具体的な回路図が示されている。なお、図２乃至図４の各回路図は、昇圧回路の例であり、モーターの駆動制御回路となっているが、その他のスイッチングレギュレータやシリーズレギュレータにも応用できる。
【００３３】
ここで、図２は、電圧を変化出来ない在来の定電圧制御装置の具体的な回路図であり、図３，図４は電圧を変化させる事が出来る本発明の定電圧制御装置の具体的な回路図である。
【００３４】
すなわち、図２の定電圧制御装置は、基準電圧Ｖｒｅｆ≒検出電圧Ｖｆｂになるように制御部が制御し、出力電圧を一定にするようになっている。
【００３５】
一方、図３の電圧可変の定電圧制御装置は、基準電圧Ｖｒｅｆ≒可変検出電圧Ｖｆｂ＝Ｖ３＋Ｖ２で、基準電圧Ｖｒｅｆ≒可変検出電圧Ｖｆｂになるように制御部が制御するのは同じで、ＤＡＣ（デジタルアナログ変換）の出力電圧（Ｖｄａｃ）を変化させる事で、Ｖ３とＶ２の電圧を変化させるようになっている。例えば、Ｖｄａｃが増加すれば、Ｖ３が増加、Ｖ２が減少、Ｉ２が減少し、Ｖｄａｃが減少すれば、Ｖ３が減少、Ｖ２が増加、Ｉ２が増加するように、電圧を制御するようになっている。
【００３６】
また、図４の電圧可変の定電圧制御装置は、基準電圧Ｖｒｅｆ≒可変検出電圧Ｖｆｂ＝Ｖ３＋Ｖ２で、基準電圧Ｖｒｅｆ≒可変検出電圧Ｖｆｂになるように制御部が制御するのは同じで、固定電圧Ｖａを印加し、可変抵抗Ｒ４の抵抗値を変化させる事で、Ｖ３とＶ２の電圧を変化させるようになっている。例えば、Ｒ４が増加すれば、Ｖ３が減少、Ｖ２が増加、Ｉ２が増加し、Ｒ４が減少すれば、Ｖ３が増加、Ｖ２が減少、Ｉ２が減少するように、電圧を制御するようになっている。
【００３７】
なお、図３，図４は、本発明の定電圧制御装置の具体的な回路図の一例を示す図であり、本発明の定電圧制御装置の具体的な回路図としては、図３，図４の他にも、図５，図６，図７，図８，図９，図１０のような構成をとることもできる。
【００３８】
また、本発明の画像記録装置は、カメラや携帯電話などの画像を記録する機能を有する装置である。図１１は本発明の画像記録装置の構成例を示す図である。図１１を参照すると、この画像記録装置１０は、撮像素子（ＣＣＤ）１１、画像処理装置（ＤＳＰ）１２、記憶装置（メモリー）１３、画像表示装置１６（バックライトを備えたＬＣＤやＥＬなど）、制御装置２０（ＣＰＵ）、電源装置１９（ＤＣ−ＤＣコンバータ）、測光装置１４（フォトダイオードやフォトトランジスタなど）、温度測定装置１５（温度センサーなど）、入力装置１７（キーＳＷなど）、鏡胴１８（撮像光学系，モーター駆動制御装置などを含む）などから構成されている。ここで、電源装置１９は、多出力の電源で、図１のような本発明の定電圧制御装置２１を備え、制御装置２０（ＤＡＣ制御やボリューム制御を含む）によって可変制御が行われる。
【００３９】
具体的に、電圧可変の定電圧制御装置２１は、図１１に示すように、モーター駆動制御を行う。モーターの種類は直流モーターやパルスモータなどが有り、ズームやフォーカスやシャッターや絞りなどで使用され、例えば、駆動電圧を高くすればモーター駆動は速くなり、駆動電圧を低くすればモーター駆動は遅くなる。
【００４０】
より具体的に、定電圧制御装置２１は、画像記録装置の動作情報に応じて、モーターの駆動制御を行うようになっている。ここで、動作情報としては、例えば、画像記録装置の起動動作（電源ＯＮして撮像が可能になるまでの期間）、モニタリング動作、ズーム動作、フォーカス動作、シャッター動作、絞り動作、再生動作、動画撮影動作、音声記録動作など、さまざまな動作についての情報があり、それぞれに応じて、例えば、起動動作時は駆動電圧を高くしてズームやフォーカスモータの動作を速くし、ズーム動作時は駆動電圧を低くしてズーム動作を遅くし、シャッター動作時は高速秒時においては駆動電圧を高く、低速秒時においては駆動電圧を低くするなど、モーター駆動制御を行うようになっている。
【００４１】
また、定電圧制御装置２１は、電源情報に応じて、モーターの駆動制御を行うようになっている。すなわち、図１１に示すように、画像記録装置にはいろいろな電源が接続可能で、電源の種類に応じて、例えば、リチウム電池のようなパワーのある電源においては、駆動電圧を高くし、アルカリ電池のようなパワーの無い電源においては、駆動電圧を低くするというように、モーター駆動制御を行うことができる。また、同一電源であっても、満充電時と末期充電時とでは電源状態が違うので、例えば末期充電状態の場合は電池寿命を延ばす為に駆動電圧を低くするというように、モーター駆動制御を行うことができる。
【００４２】
また、定電圧制御装置２１は、温度情報に応じて、モーターの駆動制御を行うようになっている。すなわち、電圧可変の定電圧制御装置２１は、温度測定装置１５によって取得した周囲の温度情報に応じてモーター駆動制御を行うことができる。例えば、温度が低い時は電源の供給能力が低下していると判断して駆動電圧を低くし、温度が高いときは電源の供給能力が高上していると判断して駆動電圧を高くする。また、ズーム動作やシャッター動作などのメカ駆動の場合は、温度が低い時は動きが重くなり駆動能力が必要になる。このような場合は駆動電圧を高くして駆動能力を高くする。
【００４３】
また、電圧可変の定電圧制御装置２１は、入力装置１７についてのユーザーのキー操作に応じて（ユーザー設定情報に応じて）、例えば、高速動作設定ならば駆動電圧を高くし、電力を抑えて電池寿命を延ばす為の設定（電力セーブ設定）ならば駆動電圧を低くして、モーター駆動制御を行うことができる。
【００４４】
また、電圧可変の定電圧制御装置２１は、撮像素子１１による画像の撮像時に、モーターの駆動制御を行うようになっている。例えば、レリーズ動作やフォーカス動作の時などは、駆動電圧を高くし、少なくとも駆動が可能になるように制御し、撮像動作が終了したら、撮像動作前の駆動電圧（低い電圧）に戻すか、または、駆動制御を止めてしまうようにすることができる。
【００４５】
また、電圧可変の定電圧制御装置２１は、撮像素子１１から連続して取得される画像情報に所定の時間変化の無い時は、モーターの駆動制御を行うようになっている。すなわち、撮像素子１１から連続して取得される画像情報に、所定の時間変化が無くなった時、または、画像の変化が所定の設定値内にあると判断された場合、撮影者が被写体に対して撮像動作準備をしていると判断し、画像記録装置１０が使用されていないか、または、待機状態にあると判断し、駆動電圧を低くするか、または、駆動制御を停止し、その後、画像情報に変化があった場合は、画像記録装置１０が使用されていないか、または、待機状態にあると判断される前の駆動電圧にすることができる。
【００４６】
また、電圧可変の定電圧制御装置２１は、入力装置１７の操作が所定の時間無い時に、モーターの駆動制御を行うようになっている。すなわち、入力装置１７の操作（キー操作など）が所定の時間無い時は、画像記録装置１０が使用されていない、または、待機状態にあると判断し、駆動電圧を低くするか、または、駆動制御を停止し、その後、入力装置１７に信号が入った場合は、画像記録装置１０が使用されていないか、または、待機状態にあると判断される前の駆動電圧にすることができる。
【００４７】
また、定電圧制御装置２１は、モーターの駆動開始時にモーターの駆動制御を行うようになっている。具体的に、電圧可変の定電圧制御装置２１は、モーター駆動開始時は多段階に駆動電圧を高くすることができる。
【００４８】
また、定電圧制御装置２１は、モーターの駆動停止時にモーターの駆動制御を行うようになっている。具体的に、電圧可変の定電圧制御装置２１は、モーター駆動停止時は多段階に駆動電圧を低くすることができる。
【図面の簡単な説明】
【００４９】
【図１】本発明に係る定電圧制御装置の構成例を示す図である。
【図２】電圧を変化出来ない在来の定電圧制御装置の具体的な回路図である。
【図３】電圧を変化させる事が出来る本発明の定電圧制御装置の具体的な回路図である。
【図４】電圧を変化させる事が出来る本発明の定電圧制御装置の具体的な回路図である。
【図５】電圧を変化させる事が出来る本発明の定電圧制御装置の具体的な回路図である。
【図６】電圧を変化させる事が出来る本発明の定電圧制御装置の具体的な回路図である。
【図７】電圧を変化させる事が出来る本発明の定電圧制御装置の具体的な回路図である。
【図８】電圧を変化させる事が出来る本発明の定電圧制御装置の具体的な回路図である。
【図９】電圧を変化させる事が出来る本発明の定電圧制御装置の具体的な回路図である。
【図１０】電圧を変化させる事が出来る本発明の定電圧制御装置の具体的な回路図である。
【図１１】本発明の画像記録装置の構成例を示す図である。
【符号の説明】
【００５０】
１          基準電圧部
２          負荷
３          検出部
４          可変部
５          制御部
１０        画像記録装置
１１        撮像素子
１２        画像処理装置
１３        記憶装置
１４        測光装置
１５        温度測定装置
１６        画像表示装置
１７        入力装置
１８        鏡胴
１９        電源装置
２０        制御装置（ＣＰＵ）
２１        定電圧制御装置
【図１】
2007228784.tif 000003
【図２】
2007228784.tif 000004
【図３】
2007228784.tif 000005
【図４】
2007228784.tif 000006
【図５】
2007228784.tif 000007
【図６】
2007228784.tif 000008
【図７】
2007228784.tif 000009
【図８】
2007228784.tif 000010
【図９】
2007228784.tif 000011
【図１０】
2007228784.tif 000012
【図１１】
2007228784.tif 000013